(57)【要約】      （修正有）【課題】ピン打ちによって例えば宅内の壁面に容易かつ適切に設置できる光ファイバケーブルを提供する。【解決手段】光ファイバケーブル１は、光ファイバ心線２１および外被２３を有し、長手方向に延びるエレメント部１１と、エレメント部１１の両側に配置され、ピン打ち面３２を上面に有し、長手方向に延びるエレメント保護部１２と、エレメント部１１とエレメント保護部１２とを連結する首部１３とを備える。【選択図】図２
2016014746.tif 000002
【特許請求の範囲】
【請求項１】
光ファイバ心線、および前記光ファイバ心線を被覆する外被を有し、光ファイバケーブルの長手方向に延びているエレメント部と、
前記エレメント部の幅方向の両側に配置され、ピンが打ちこまれる凹部を上面に有し、光ファイバケーブルの長手方向に延びているエレメント保護部と、
前記エレメント部と前記エレメント保護部とを連結する首部とを備えていることを特徴とする光ファイバケーブル。
【請求項２】
前記エレメント保護部は、上面における幅方向の前記エレメント部側とは反対側の領域に光ファイバケーブルの長手方向に延びる凸部を有し、上面における幅方向の前記凸部から前記エレメント部側の領域が前記凹部となっており、前記凹部の底面は平坦面であることを特徴とする請求項１に記載の光ファイバケーブル。
【請求項３】
前記エレメント保護部の前記凹部は、光ファイバケーブルの長手方向に延びる溝部であることを特徴とする請求項１に記載の光ファイバケーブル。
【請求項４】
前記エレメント保護部は、前記凹部の真下の領域を除いた領域に、光ファイバケーブルの長手方向に延びる支持線が埋設されていることを特徴とする請求項１から３のいずれか１項に記載の光ファイバケーブル。
【請求項５】
前記エレメント保護部は、前記エレメント部側とは反対側の側面がエレメント部方向へ倒れ込むように傾斜している傾斜面となっていることを特徴とする請求項１から４のいずれか１項に記載の光ファイバケーブル。
【請求項６】
前記エレメント保護部の厚さは、前記エレメント部の厚さよりも厚くなっていることを特徴とする請求項１から５のいずれか１項に記載の光ファイバケーブル。
【請求項７】
前記エレメント部は、前記光ファイバ心線に対する前記エレメント部の幅方向の両側に、光ファイバケーブルの長手方向に延びる抗張力体が埋設され、
前記エレメント部の下面の位置は、前記エレメント保護部の下面の位置よりも高くなっていることを特徴とする請求項１から６のいずれか１項に記載の光ファイバケーブル。
【請求項８】
前記エレメント保護部の厚さは、前記エレメント部の幅よりも厚くなっていることを特徴とする請求項７に記載の光ファイバケーブル。
【発明の詳細な説明】
【技術分野】
【０００１】
本発明は、例えば家屋の壁面に配線される光ファイバケーブルに関するものである。
【背景技術】
【０００２】
近年、ＦＴＴＨ（Fiber To The Home）の発展により、ユーザー宅などへの光ファイバケーブルの配線が頻繁に行われるようになってきた。ユーザー宅では、例えば、非特許文献１に開示されているような細径低摩擦インドアケーブルが使用される。この光ファイバケーブルは、室内の壁や通路等の壁面に、直接に配線することが困難なものである。このため、非特許文献１に示されるように、電線管内に設置したり、あるいは電線保護カバー内に設置したりされる。
【０００３】
また、住宅内におけるドア等の隙間に配線する光ファイバケーブルとして、特許文献１に開示されている光ファイバケーブルが知られている。この光ファイバケーブルは、扁平形状に形成され、粘着テープを用いて、ドア枠等に固定することができるようになっている。
【先行技術文献】
【特許文献】
【０００４】
【特許文献１】特許文献第５３８０５１５号公報
【非特許文献】
【０００５】
【非特許文献１】電子情報通信学会２００９年総合大会講演論文集  Ｂ−１０−２０
【発明の概要】
【発明が解決しようとする課題】
【０００６】
非特許文献１に開示されているような細径低摩擦インドアケーブルは、室内の壁や通路等の壁面に、直接に配線することが困難なものであるため、上記のように、光ファイバケーブル以外に電線管あるいは電線保護カバーが必要となる。このため、コストアップになるとともに、配線状態が嵩張り易くなる。また、電線管あるいは電線保護カバーを別途設置する必要がある分、配線の作業時間が長時間となる。
【０００７】
なお、細径の光ファイバケーブルは、壁面に露出して配線された場合に、物がぶつかることにより破損する恐れがある。また、細径の光ファイバケーブルは、破損した場合、その修復には、コネクタ等の専用の接続部材や光ファイバ心線を口出して切断するための専用の工具が必要となる。このため、専門の施工業者でなければ、破損個所の修復のための配線のやり直しや接続などを容易に行うことができない。
【０００８】
一方、特許文献１の光ファイバケーブルは、粘着テープによって設置面に直接に配線できるものであるから、非特許文献１の光ファイバケーブルが有する上記問題を回避することができる。
【０００９】
しかしながら、特許文献１の光ファイバケーブルでは、両面テープ等の粘着テープにて壁面等に固定する場合、壁面である例えば壁紙の材質や形状（凹凸形状）によっては、充分な粘着力によって固定できない場合がある。また、光ファイバケーブルは、粘着テープの経年変化により壁面から剥離し易くなる。このため、特許文献１の光ファイバケーブルは、例えば宅内の壁面に直接に配線した場合に、安定した配線状態を維持することが困難である。また、光ファイバケーブルの撤去に際して粘着テープを剥がす場合に、壁紙を破損する恐れがある。
【００１０】
これに対し、光ファイバケーブルを宅内の壁面にピン打ちにより固定する場合には、光ファイバケーブルを粘着テープにて固定する場合に生じる上記問題点を回避することができる。しかしながら、このようなピン打ちにて固定できる光ファイバケーブルについては、未だ開発されていない。
【００１１】
なお、細線の光ファイバケーブルを収納する電線管や電線保護カバーは、粘着テープにて壁面に固定する他、ピン打ちによって固定することも可能である。しかしながら、電線管や電線保護カバーを使用した場合には、前述のように、コストアップや嵩張り、作業時間の長時間化などの問題点を招来する。
【００１２】
したがって、本発明は、ピン打ちによって例えば宅内の壁面に対して容易かつ適切に配線することができる光ファイバケーブルの提供を目的としている。
【課題を解決するための手段】
【００１３】
上記の課題を解決するために、本発明の光ファイバケーブルは、光ファイバ心線、および前記光ファイバ心線を被覆する外被を有し、光ファイバケーブルの長手方向に延びているエレメント部と、前記エレメント部の幅方向の両側に配置され、ピンが打ちこまれる凹部を上面に有し、光ファイバケーブルの長手方向に延びているエレメント保護部と、前記エレメント部と前記エレメント保護部とを連結する首部とを備えていることを特徴としている。
【００１４】
上記の構成によれば、エレメント保護部は、エレメント部の幅方向の両側に配置され、ピンが打ちこまれる凹部を上面に有し、光ファイバケーブルの長手方向に延びている。これにより、作業者は、光ファイバケーブルを例えば宅内の壁面に配線する場合に、例えばピン打ち用工具を使用し、ピン打ちにより光ファイバケーブルを容易に固定することができる。
【００１５】
すなわち、作業者は、ピン打ちの際に、エレメント保護部の凹部に向ってピンを打ち込めばよく、ピン打ちを打ちこむ位置を明確に認識しながら作業を行うことができる。これにより、ピンを所定のピン打ち位置すなわち凹部から外すことなく、また誤ってエレメント部にピンを打ち込んで光ファイバ心線を損傷するといったことがなく、ピン打ち作業を容易かつ適切に行うことができる。
【００１６】
また、光ファイバケーブルは、ピン打ちによって例えば宅内の壁面に固定されるので、安定した配線状態を維持することができる。さらに、壁面が壁紙であっても、光ファイバケーブルの撤去に際して壁紙を破損する恐れがない。
【００１７】
上記の光ファイバケーブルにおいて、前記エレメント保護部は、上面における幅方向の前記エレメント部側とは反対側の領域に光ファイバケーブルの長手方向に延びる凸部を有し、上面における幅方向の前記凸部から前記エレメント部側の領域が前記凹部となっており、前記凹部の底面は平坦面である構成としてもよい。
【００１８】
上記の構成によれば、エレメント保護部は、上面における幅方向のエレメント部側とは反対側の領域に光ファイバケーブルの長手方向に延びる凸部を有している。また、エレメント保護部は、上面における幅方向の凸部からエレメント部側の領域がピン打ちのための凹部となっており、凹部の底面は平坦面となっている。
【００１９】
したがって、作業者は、凸部を案内部として、ピン打ち面すなわち平坦面である凹部の底面にピン打ちを行うことができる。例えば、凸部を案内部としてピン打ち用工具を配置し、ピン打ち面にピン打ちを行うことができる。これにより、さらにピン打ち作業を容易かつ適切に行うことができる。
【００２０】
上記の光ファイバケーブルにおいて、前記エレメント保護部の前記凹部は、光ファイバケーブルの長手方向に延びる溝部である構成としてもよい。
【００２１】
上記の構成によれば、エレメント保護部のピンが打ちこまれる凹部は、光ファイバケーブルの長手方向に延びる溝部である。したがって、作業者は、溝部を確認しながら容易にピン打ちを行うことができる。これにより、さらにピン打ち作業を容易かつ適切に行うことができる。
【００２２】
上記の光ファイバケーブルにおいて、前記エレメント保護部は、前記凹部の真下の領域を除いた領域に、光ファイバケーブルの長手方向に延びる支持線が埋設されている構成としてもよい。
【００２３】
上記の構成によれば、エレメント保護部は、ピンが打ちこまれる凹部の真下の領域を除いた領域に、光ファイバケーブルの長手方向に延びる支持線が埋設されているので、光ファイバケーブルを固定するためのピン打ちが支持線によって妨害されることがない。
【００２４】
なお、支持線を鋼線とした場合には、光ファイバケーブルを配線する場合に、エレメント保護部すなわち光ファイバケーブルを容易に直線状態に配置することができる。
【００２５】
上記の光ファイバケーブルにおいて、前記エレメント保護部は、前記エレメント部側とは反対側の側面がエレメント部方向へ倒れ込むように傾斜している傾斜面となっている構成としてもよい。
【００２６】
上記の構成によれば、光ファイバケーブルは、エレメント保護部のエレメント部側とは反対側の側面がエレメント部方向へ倒れ込むように傾斜している傾斜面となっているので、物が引っ掛かったり、物が衝突したりし難くなっている。さらに、例えば宅内の壁面に配線した場合にも目立ち難くなっている。
【００２７】
上記の光ファイバケーブルにおいて、前記エレメント保護部の厚さは、前記エレメント部の厚さよりも厚くなっている構成としてもよい。
【００２８】
上記の構成によれば、光ファイバケーブルに他の物が衝突した場合に、エレメント保護部によってエレメント部への衝突を防止することができる。また、エレメント保護部の上面とエレメント部の上面との位置関係により、エレメント部に他の物が衝突することがあっても、エレメント部は設置面（例えば壁面）の方向へ退行することができるので、他の物の衝突によりエレメント部が受ける衝撃は小さくなる。
【００２９】
上記の光ファイバケーブルにおいて、前記エレメント部は、前記光ファイバ心線に対する前記エレメント部の幅方向の両側に、光ファイバケーブルの長手方向に延びる抗張力体が埋設され、前記エレメント部の下面の位置は、前記エレメント保護部の下面の位置よりも高くなっている構成としてもよい。
【００３０】
上記の構成によれば、光ファイバケーブルを設置面（例えば壁面）に設置する場合において、エレメント部の下面と設置面との間に隙間が生じる。したがって、その隙間の分だけ、すなわちエレメント部が設置面から浮いた部分だけ、光ファイバ心線の曲げ半径Ｒを大きくすることができ、曲げ半径Ｒが小さくことによる伝送損失の増加を抑制することができる。また、光ファイバケーブルを設置面上において例えば９０°曲げて配置する場合に、容易に配置することができる。
【００３１】
すなわち、エレメント部は光ファイバ心線に対するエレメント部の幅方向の両側に抗張力体が埋設されているので、光ファイバケーブルを設置面上において例えば９０°曲げて配置する場合、曲げ部分において両方の抗張力体の長さに差が生じないようにする必要がある。このために、光ファイバケーブルの曲げ部分において、両方のエレメント保護部を適当に切断し、エレメント部を幅方向が上下方向にとなるように立てた状態とする。この作業は、エレメント部の下面の位置がエレメント保護部の下面の位置よりも高くなっていることにより、容易かつ適切に行うことができる。
【００３２】
上記の光ファイバケーブルにおいて、前記エレメント保護部の厚さは、前記エレメント部の幅よりも厚くなっている構成としてもよい。
【００３３】
上記の構成によれば、光ファイバケーブルの曲げ部分において、エレメント部は幅方向が上下方向になるように立てた状態に配置される。このような場合において、光ファイバケーブルの曲げ部分に他の物が衝突した場合、他の物はエレメント部に衝突せずにエレメント保護部に衝突する。したがって、光ファイバケーブルは、曲げ部分において、エレメント保護部により他の物の衝突からエレメント部を保護することができる。
【発明の効果】
【００３４】
本発明の構成によれば、作業者は、光ファイバケーブルを例えば宅内の壁面にピン打ちにより固定しながら配線する場合に、誤ってエレメント部にピンを打ち込んで光ファイバ心線を損傷するといったことがなく、ピン打ち作業を容易かつ適切に行うことができる。また、光ファイバケーブルは、ピンにより堅牢に固定されるので、安定した配線状態を維持することができる。さらに、壁面が壁紙であっても、光ファイバケーブルの撤去に際して壁紙を破損する恐れがない。
【図面の簡単な説明】
【００３５】
【図１】本発明の実施の形態の光ファイバケーブルを示す平面図である。
【図２】図１におけるＡ−Ａ線矢視断面図である。
【図３】図２に示した光ファイバケーブルにおける各部の寸法関係の説明図である。
【図４】図１に示した光ファイバケーブルをピンにより例えば宅内の壁面に固定した状態を示す平面図である。
【図５】図４におけるＢ−Ｂ線矢視断面図である。
【図６】図１に示した光ファイバケーブルをステープルより壁面に固定した状を示す縦断面図である。
【図７】図２に示した光ファイバケーブルに対する比較例に係る光ファイバケーブルの構成を示す縦断面図である。
【図８】本発明の他の実施の形態の光ファイバケーブルの構成を示す縦断面図である。
【発明を実施するための形態】
【００３６】
〔実施の形態１〕
本発明の実施の形態を図面に基づいて以下に説明する。
図１は本発明の実施の形態の光ファイバケーブルを示す平面図、図２は図１におけるＡ−Ａ線矢視断面図である。
【００３７】
図１および図２に示すように、光ファイバケーブル１は、エレメント部１１、２本のエレメント保護部１２および２本の首部１３を備えている。２本のエレメント保護部１２は、エレメント部１１の左右位置に配置され、首部１３によってエレメント部１１と連結されている。各首部１３は、エレメント部１１とエレメント保護部１２とを光ファイバケーブル１の長手方向に連続して連結している。なお、各首部１３は、エレメント部１１とエレメント保護部１２とを、連続的にではなく、間欠的に（不連続に）連結していてもよい。
【００３８】
エレメント部１１は、光ファイバ心線２１、線状の抗張力体２２およびこれら光ファイバ心線２１および抗張力体２２を覆う外被２３を有している。すなわち、エレメント部１１は、外被２３の内部に、光ファイバ心線２１および線状の抗張力体２２が埋設されている。
【００３９】
外被２３の縦断面形状は、例えば横長のほぼ長方形である。光ファイバ心線２１は外被２３の中心部に配置され、抗張力体２２は光ファイバ心線２１の左右位置に配置されている。これら光ファイバ心線２１および抗張力体２２は、互いに平行に左右方向（横方向）に並び、光ファイバケーブル１の長手方向に延びている。
【００４０】
光ファイバ心線２１は、例えば、中心に設けられるガラス光ファイバ、このガラス光ファイバの外周を被覆するファイバ被覆層、およびこのファイバ被覆層を被覆し、最外層を形成する着色層を備えている。
【００４１】
抗張力体２２は、光ファイバケーブル１、特にエレメント部１１の引っ張り力に対する伸びを防止し、光ファイバ心線２１を保護するものである。抗張力体２２は、例えばアラミドＦＲＰの他、ガラスＦＲＰや鋼線等の金属線にて形成することができる。なお、抗張力体２２は、エレメント保護部１２を除去し、エレメント部１１を光ローゼットなどの接続箱に引込むことを考慮した場合、アラミドＦＲＰのように、可撓性、耐座屈性に優れた線条体にて形成することが好ましい。抗張力体２２の断面形状は、図２に示した円形の他に、方形や楕円形であってもよい。
【００４２】
外被２３は、ポリエチレン、ポリプロピレンあるいはポリスチレンなどの一般的な熱可塑性樹脂にて形成されている。これらの樹脂は、水酸化マグネシウムなどの難燃剤を配合した難燃樹脂であってよい。なお、エレメント保護部１２および首部１３もエレメント部１１の外被２３と同一の材料にて形成することができる。例えば、エレメント部１１の外被２３、エレメント保護部１２および首部１３は、同一の熱可塑性樹脂にて一体的に成形してもよい。
【００４３】
光ファイバ心線２１の位置に対応した外被２３の上面および下面の位置には、光ファイバ心線２１を取り出すためのノッチ溝２４が形成されている。ノッチ溝２４は、先端が光ファイバ心線２１の方向を向いたＶ字形に形成され、光ファイバケーブル１の長手方向に延びている。光ファイバケーブル１では、ノッチ溝２４が形成されていることにより、ノッチ溝２４の部位から外被２３を剥いで、光ファイバ心線２１を取り出すことが可能となる。
【００４４】
両方のエレメント保護部１２の縦断面形状は、エレメント部１１に対向する辺が下辺（下底）に対して垂直、かつその反対側の辺がエレメント部１１側に傾いた斜辺となっている台形において、上辺（上底）におけるエレメント部１１側の部分を横長の長方形状に切り欠いた形状となっている。したがって、エレメント保護部１２は、上面における外側の端縁部に、光ファイバケーブル１の長手方向に延びる凸部３１を有している。また、エレメント保護部１２は、上面における凸部３１に対するエレメント部１１側の部分に、凸部３１に対して凹んだ状態の平坦面を有している。この平坦面はピン打ち面（凹部）３２となっている。
【００４５】
エレメント保護部１２は、エレメント保護部１２の内部におけるピン打ち面３２の真下の領域を除いた領域に、支持線３３を有している。支持線３３は、エレメント保護部１２に対して、引っ張り力に対する伸び防止機能や強度を付与するものである。支持線３３は、例えば鋼、鉄、銅、アルミニウムあるいはアルミニウム合金などの金属材料にて形成することができる。なお、支持線３３は、光ファイバケーブル１を直線状に維持する直線性を考慮した場合、鋼線であることが好ましい。また、支持線３３の形状は、図２に示す円形の他に、方形や楕円形でもあってもよい。
【００４６】
首部１３は、エレメント部１１の下面がエレメント保護部１２の下面よりも上方となる位置にエレメント部１１を支持している。これにより、光ファイバケーブル１を壁面に設置した場合、エレメント部１１は壁面に対して浮いた状態となる。
【００４７】
首部１３の厚さは、エレメント部１１の厚さよりも薄くなっている。
【００４８】
次に、光ファイバケーブル１における各部の寸法関係について説明する。図３は、光フイバケーブル１における各部の寸法関係を示す説明図である。
【００４９】
図３において、ａはエレメント部１１の厚さ、ｂはエレメント部１１の幅、ｃはエレメント保護部１２の厚さ、ｄは光ファイバケーブル１の幅（最大幅）である。光ファイバケーブル１において、エレメント保護部１２の厚さｃは、エレメント部１１の厚さａよりも厚くなっている。また、エレメント保護部１２の厚さｃは、エレメント部１１の幅ｂよりも厚くなっている。また、エレメント保護部１２（凸部３１）の上面の位置は、エレメント部１１の上面の位置よりも高くなっている。また、エレメント部１１の下面の位置はエレメント保護部１２の下面の位置よりも高くなっている。
【００５０】
上記の構成において、光ファイバケーブル１の配線方法について以下に説明する。図４は、光ファイバケーブル１をピンにより例えば宅内の壁面に固定した状態を示す平面図である。図５は、図４におけるＢ−Ｂ線矢視断面図である。
【００５１】
図４および図５に示すように、光ファイバケーブル１を例えば宅内の壁面４２に固定する場合には、光ファイバケーブル１のピン打ち面３２から壁面に向ってピン４１を打ち込む。ピン打ちは、例えば両方のエレメント保護部１２に対して交互に、ピン打ちの位置がチドリ状となるように、行われる。
【００５２】
ピン打ちは、例えばピン打ち用工具を使用して行うことができる。このピン打ち用工具は、例えば、細長いペン型の形状であり、内部にピン４１を収容し、先端部を光ファイバケーブル１のピン打ち面３２に押し付けて押し込むことによりピン打ちができるものである。このピン打ち用工具としては、例えばマサル工業製「ポン太郎（商品面）」を用いることができる。
【００５３】
ここで、光ファイバケーブル１のエレメント保護部１２には、ピン打ち面３２の幅方向の外側に凸部３１が形成されている。したがって、作業者は、凸部３１を案内部としてピン打ち面３２にピン打ちを行うことができる。例えば、凸部３１を案内部としてピン打ち用工具を配置し、ピン打ち面３２にピン打ちを行うことができる。したがって、ピン４１をピン打ち面３２から外すことなく、また、誤ってエレメント部１１にピンを打ち込んで光ファイバ心線２１を損傷することなく、ピン打ち作業を容易に行うことができる。
【００５４】
また、エレメント保護部１２の支持線３３は、ピン打ち面３２の真下の領域を除いた領域に埋設されているので、ピン打ち面３２に対するピン打ちが、支持線３３によって妨害されることがない。
【００５５】
また、光ファイバケーブル１は、ピン４１により例えば宅内の壁面に固定されるので、壁面例えば壁紙の材質や形状（凹凸形状）に影響されることなく、確実かつ堅牢に固定することができる。また、経年によって光ファイバケーブル１が壁面から剥がれる事態も生じ難い。
【００５６】
なお、光ファイバケーブル１を取り外す場合には、壁紙の破損が少なく、ピン痕の小さい孔は、コーキング材等で目立たないように補修することができる。
【００５７】
また、光ファイバケーブル１は、配管内や保護カバー内に設置する必要がなく、直接壁面等に配線することができる。したがって、配管内や保護カバー内に設置する場合と比較して、配管や保護カバーによる嵩張りがなく、また目立つことがなく、低コストかつ短い作業時間にて光ファイバケーブル１を配線することができる。
【００５８】
また、エレメント部１１の両側にはエレメント保護部１２が設けられ、エレメント保護部１２の厚さは、エレメント部１１の厚さよりも厚くなっている。したがって、光ファイバケーブル１に他の物が衝突した場合に、エレメント保護部１２、特に凸部３１によってエレメント部１１への他の物の衝突を防止することができる。また、エレメント保護部１２（凸部３１）の上面とエレメント部１１の上面との位置関係により、エレメント部１１に他の物が衝突することがあっても、エレメント部１１は壁面４２の方向へ退行することができるので、他の物の衝突によりエレメント部１１が受ける衝撃は小さくなる。
【００５９】
また、光ファイバケーブル１では、特に、エレメント保護部１２（凸部３１）の上面の位置がエレメント部１１の上面の位置よりも高くなっているので、エレメント部１１への他の物の衝突防止機能はさらに高くなっている。
【００６０】
また、エレメント保護部１２には支持線３３が埋設されており、この支持線３３が例えば鋼線である場合には、光ファイバケーブル１を配線する場合に、容易に直線状に配線することができる。すなわち、光ファイバケーブル１を直線状に配線するために、光ファイバケーブル１の両端に作業員を配置したり、スケール等で光ファイバケーブル１の直線状態を確認しながら光ファイバケーブル１を配線したりといったことが不要となる。
【００６１】
また、光ファイバケーブル１は、両方のエレメント保護部１２の側面が、エレメント部１１方向へ倒れ込むように、内側に傾斜している。これにより、光ファイバケーブル１に対して物が引っ掛かったり、衝突したりし難くなっている。さらに、光ファイバケーブル１を例えば宅内の壁面に配線した場合にも目立ち難くなっている。
【００６２】
また、エレメント部１１の下面の位置は、エレメント保護部１２の下面の位置よりも高くなっているので、光ファイバケーブル１を壁面４２に配線した場合に、エレメント部１１の下面と壁面４２との間に隙間が生じる。したがって、その隙間の分だけ、すなわちエレメント部１１が壁面（設置面）４２から浮いた部分だけ、光ファイバ心線２１の曲げ半径Ｒを大きくすることができ、曲げ半径Ｒが小さくことによる伝送損失の増加を抑制することができる。また、平坦な壁面４２上において、光ファイバケーブル１の配線方向を例えば９０°曲げる場合に、この作業を容易かつ適切に行うことができる。
【００６３】
すなわち、平坦な壁面４２上において、光ファイバケーブル１の配線方向を例えば９０°曲げる場合、曲げ部分において両方の抗張力体２２の長さに差が生じないようにする必要がある。このために、光ファイバケーブル１の曲げ部分において、両方のエレメント保護部１２を適当に切断し、エレメント部１１を幅方向が上下方向にとなるように立てた状態とする。この作業は、エレメント部１１の下面の位置がエレメント保護部１２の下面の位置よりも高くなっていることにより、容易かつ適切に行うことができる。
【００６４】
ここで、光ファイバケーブル１は、ピン打ちによって固定することが好ましいものの、例えばピン打ちによって固定し難い場所への固定など、より堅牢に固定するためにステープルによって固定されることも考えられる。そこで、実際に光ファイバケーブル１をステープルにて固定し、エレメント部１１についての耐外傷性について検証した。図６は、光ファイバケーブル１をステープル４３より壁面４２に固定した状を示す縦断面図である。
【００６５】
エレメント部１１の上記耐外傷性について検証した結果、図６に示すように、光ファイバケーブル１に打ち込まれたステープル４３は、エレメント保護部１２の上部に食い込むものの、エレメント部１１には外傷が無いことを確認できた。これは、光ファイバケーブル１では、エレメント保護部１２の厚さがエレメント部１１の厚さよりも厚くなっていることによる。
【００６６】
（実施例）
下記の光ファイバケーブル１を作製し、作製した光ファイバケーブル１について、壁面４２への配線施工性を検証した。
【００６７】
エレメント部１１の光ファイバ心線２１には、シングルモード型光ファイバに紫外線硬化樹脂を被覆した外径０．２５ｍｍの光ファイバ心線を用いた。エレメント部１１の抗張力体２２には、直径０．４ｍｍのアラミド繊維を含む繊維強化プラスチック（アラミドＦＲＰ）を用いた。エレメント保護部１２の支持線３３には、直径０．５ｍｍの鋼線を用いた。エレメント部１１の外被２３、エレメント保護部１２および首部１３には、白色難燃ポリエチレンを用いた。
【００６８】
エレメント部１１は、図３に示す、幅ｂを２．０ｍｍ、厚さａを１．６ｍｍとした。光ファイバケーブル１は、幅ｄを８．６ｍｍ、厚さ（エレメント保護部１２の厚さ）ｃを２．０ｍｍとした。
【００６９】
このようにして作製した光ファイバケーブル１をピン打ちによって壁面４２に配線したところ、容易かつ適切にピン打ちが可能であった。これにより、光ファイバケーブル１を容易に配線することができた。
【００７０】
（比較例）
図７は、比較例に係る光ファイバケーブル３の構成を示す縦断面図である。光ファイバケーブル３は、光ファイバケーブル１のエレメント保護部１２に代えてエレメント保護部１０１を備えている。他の構成は光ファイバケーブル１と同様である。
【００７１】
エレメント保護部１０１は、エレメント保護部１２と同様、厚さがエレメント部１１の厚さよりも厚く、かつエレメント保護部１０１の上面の位置がエレメント部１１の上面の位置よりも高くなっている。
【００７２】
ただし、エレメント保護部１０１は、上面にエレメント保護部１２が有する凸部３１、および凸部３１に対して凹状のピン打ち面３２を有していない。すなわち、エレメント保護部１０１は上面全体がピン打ち面となっている。また、エレメント保護部１０１は、上面すなわちピン打ち面の真下の領域に支持線３３が埋設されている。
【００７３】
上記のような光ファイバケーブル３では、作業者は、ピン打ちの位置を定め難く、ピン打ちの際に、誤ってピンをエレメント部１１に打ってしまう可能性がある。あるいは、ピンが支持線３３と干渉してピンを正確に打てない可能性がある。あるいは、エレメント保護部１０１の端部にピンを打ってしまい、ピンが光ファイバケーブル３の固定に有効に作用しない可能性がある。
【００７４】
〔実施の形態２〕
本発明の他の実施の形態を図面に基づいて以下に説明する。
図８は本発明の他の実施の形態の光ファイバケーブル２の構成を示す縦断面図である。光ファイバケーブル２は、光ファイバケーブル１のエレメント保護部１２に代えてエレメント保護部５１を備えている。他の構成は光ファイバケーブル１と同様である。
【００７５】
エレメント保護部５１は、エレメント保護部１２と同様、厚さがエレメント部１１の厚さよりも厚く、かつエレメント保護部５１の上面の位置がエレメント部１１の上面の位置よりも高くなっている。
【００７６】
ただし、エレメント保護部５１は、エレメント保護部１２が有するピン打ち面３２に代えて、例えばＶ字形の溝部からなるピン打ち溝部６１を上面に有している。ピン打ち溝部６１は、光ファイバケーブル２の長手方向に延びている。支持線３３は、エレメント保護部１２の内部におけるピン打ち溝部６１の真下の領域を除いた領域に埋設されている。
【００７７】
上記の構成において、光ファイバケーブル２では、作業者は、ピン打ち溝部６１を確認しながら容易にピン打ちを行うことができる。
【００７８】
なお、ピン打ち溝部６１の幅を十分に大きくできない場合、すなわちピン打ち溝部６１の幅および首部１３の幅がいずれも狭くなるような場合、作業者は、目視によってピン打ち溝部６１と首部１３とを区別し難くなる。特に、天井と壁の境目などの光ファイバケーブル２の配線では、作業者が光ファイバケーブル２の間近に近寄ってピン打ち溝部６１を確認することが作業場困難となる。このような場合には、誤って首部１３にピンを打ってしまう可能があるため、光ファイバケーブルのエレメント保護部の構成としては、エレメント保護部５１よりもエレメント保護部１２の方が好ましい。
【産業上の利用可能性】
【００７９】
本発明は、ピン打ちが可能な例えば壁面に配線される光ファイバケーブルに利用することができる。
【符号の説明】
【００８０】
１    光ファイバケーブル
２    光ファイバケーブル
３    光ファイバケーブル
１１    エレメント部
１２    エレメント保護部
１３    首部
２１    光ファイバ心線
２２    抗張力体
２３    外被
２４    ノッチ溝
３１    凸部
３２    ピン打ち面
３３    支持線
４１    ピン
４２    壁面
４３    ステープル
５１    エレメント保護部
６１    ピン打ち溝部
１０１    エレメント保護部
【図１】
2016014746.tif 000003
【図２】
2016014746.tif 000004
【図３】
2016014746.tif 000005
【図４】
2016014746.tif 000006
【図５】
2016014746.tif 000007
【図６】
2016014746.tif 000008
【図７】
2016014746.tif 000009
【図８】
2016014746.tif 000010